(57)【要約】【課題】書類に穴を開けることなく書類をファイルに綴じうるファイリング用フォルダー２の提供。【解決手段】このファイリング用フォルダー２は、２本のバーを備えるファイルに収容されうるように構成されており、書類を拘束する拘束部４と、この拘束部４の後方に連接する鉤部６とを備えている。この鉤部６は、この拘束部４の後方に連接している。この鉤部６は、この鉤部６の縁１４から縦方向に延びる縦ガイド８と、この鉤部６の他の縁１４から前方に延びる横ガイド１０とを備えている。この縦ガイド８が一方のバーに嵌め込まれて、この鉤部６がこの一方のバーを中心に回動することにより、この横ガイド１０は他方のバーに嵌め込まれうる。【選択図】図１
2008105365.tif 000002
【特許請求の範囲】
【請求項１】
２本のバーを備えるファイルに収容されうるように構成されており、
書類を拘束する拘束部と、この拘束部の後方に連接する鉤部とを備えており、
この鉤部が、この鉤部の縁から縦方向に延びる縦ガイドと、この鉤部の他の縁から前方に延びる横ガイドとを備えており、  
この縦ガイドが一方のバーに嵌め込まれて、この鉤部がこの一方のバーを中心に回動することにより、この横ガイドが他方のバーに嵌め込まれうるファイリング用フォルダー。
【請求項２】
上記横ガイドが、底縁と、この底縁の端から後方に延びる一対の側縁とを備えており、
この側縁が、上記縦ガイドの延在方向に凸な形状を呈している請求項１に記載のフォルダー。
【請求項３】
上記拘束部が、２枚のプレートと、弾性部材とを備えており、
これらのプレートが、その内面が向き合うように配置されており、
この弾性部材が、一方のプレートの内面と他方のプレートの内面とを接触させる方向に力を付与しうる請求項１に記載のフォルダー。
【発明の詳細な説明】
【技術分野】
【０００１】
本発明は、書類を整理してファイルに綴じるために用いられるフォルダーに関する。
【背景技術】
【０００２】
書類を整理して保管するために、ファイルが用いられる。このファイルは、背表紙と、この背表紙の一方の側縁に連接する表表紙と、この背表紙の他方の側縁に連接する裏表紙と、この背表紙の内側に配置される保持具とを備えている。この保持具は、２本のバーと、開閉部材とを備えている。これらのバーは、このファイルに綴じられる書類の厚み方向に延在しており、縦方向に並んで配列される。この開閉部材は、書類の抜き差し及び書類の保持を制御する。この開閉部材が開けられると、書類のとじしろに設けられた穴にバーが挿通されうる。この開閉部材が閉じられると、書類が保持具に保持されうる。
【０００３】
書類がファイルに綴じられるとき、まずこの書類のとじしろにペーパーパンチで穴が開けられる。次に、開閉部材が開けられてこの穴にバーが挿通される。書類の収容が完了すると、開閉部材が閉じられる。このようにして、このファイルに書類が綴じられる。なお、このバーがリング状を呈しているファイルは、リング式ファイルと称される。このバーがパイプ及びこのパイプに挿通されうるピンで構成されるファイルは、パイプ式ファイルと称される。
【０００４】
このファイルから必要な書類を取り出すには、この必要な書類の直上にある書類の全てを取り出さなければならない。このファイルでは、必要な書類の取り出しに手間がかかる。取り出された書類が再びファイルに収容されるとき、全ての書類の穴にバーが挿通されなければならない。このファイルでは、取り出された書類の収容にも手間がかかる。
【０００５】
ファイルに綴じられた書類の取り出しの容易さが考慮されたファイル用脱着自在拘束部方式事務具が、実開昭６１−１０５１８２号公報に開示されている。ファイリング用書類保持具が、特開２００４−２０９６７７公報に開示されている。
【特許文献１】実開昭６１−１０５１８２号公報
【特許文献２】特開２００４−２０９６７７公報
【発明の開示】
【発明が解決しようとする課題】
【０００６】
前述したように、ファイルに書類を綴じるためには、綴じられる書類のとじしろに穴が開けられなければならない。書類に穴が開けられることにより、書類に記載されている内容の一部が欠落する場合がある。
【０００７】
前述したように、書類はその穴に保持具のバーが挿通されてファイルに綴じられる。この穴の縁は、保持具のバーと接触する。この接触によりこの穴に破れが生じて、書類が傷む場合もある。
【０００８】
上記実開昭６１−１０５１８２号公報記載のファイル用脱着自在拘束部方式事務具では、ファイルからの書類の取り出しは容易であるものの、書類が糊付け又は係止針によってこの事務具に固定されなければならない。この事務具への書類の固定には、手間がかかる。
【０００９】
上記特開２００４−２０９６７７公報記載のファイリング用書類保持具は、保持すべき書類の側縁を受ける受面を上部に備えた支持体を備えている。この支持体は、その端に書類の角部を揃える端ガイドと、その側縁に書類面を支える一対の側面ガイドとを備えている。この保持具では、両側面ガイドの間の距離は書類の厚みに応じて可変することなく一定である。書類の量は、その内容に応じて適宜変わる。従って、この保持具を用いて書類がその内容に応じてファイリングされるとき、書類の量が少ないためにこの保持具が書類で充分に満たされない場合がある。このような保持具は、書類の収容効率に劣る。
【００１０】
この保持具は、前述の支持体以外に、書類を挟持するための挟持部材と、この挟持部材の揺動片を開いた状態に保つ保持手段と、この保持具がファイルに着脱自在に係合しうるように構成された係合部材とを備えている。この保持具を構成する部材の数は多い。従って、この保持具の生産コストは高い。このような保持具は、汎用性に劣る。
【００１１】
本発明の目的は、書類に穴を開けることなく書類をファイルに綴じうるファイリング用フォルダーの提供にある。
【課題を解決するための手段】
【００１２】
本発明に係るファイリング用フォルダーは、２本のバーを備えるファイルに収容されうるように構成されており、書類を拘束する拘束部と、この拘束部の後方に連接する鉤部とを備えている。この鉤部は、この鉤部の縁から縦方向に延びる縦ガイドと、この鉤部の他の縁から前方に延びる横ガイドとを備えている。この縦ガイドが一方のバーに嵌め込まれて、この鉤部がこの一方のバーを中心に回動することにより、この横ガイドは他方のバーに嵌め込まれうる。
【００１３】
好ましくは、このフォルダーでは、上記横ガイドは、底縁と、この底縁の端から後方に延びる一対の側縁とを備えている。この側縁は、上記縦ガイドの延在方向に凸な形状を呈している。
【００１４】
好ましくは、このフォルダーでは、上記拘束部は、２枚のプレートと、弾性部材とを備えている。これらのプレートは、その内面が向き合うように配置されている。この弾性部材は、一方のプレートの内面と他方のプレートの内面とを接触させる方向に力を付与しうる。
【発明の効果】
【００１５】
このファイリング用フォルダーは、鉤部と拘束部とを備えている。このフォルダーでは、構成する部材の数が少ないので、生産コストが抑えられる。このフォルダーは、汎用性に優れる。この鉤部は、縦ガイドと横ガイドとを備えている。このフォルダーでは、この拘束部が書類を拘束して、鉤部がファイルの保持具に掛け留めされうるので、この書類に穴が開けられる必要はない。このファイルの保持具が２本のバーを備えており、これらのバーがこのファイルに綴じられる書類の厚み方向に延在しつつ上下方向に並列しているとき、縦ガイドが一方のバーに嵌め込まれてこの鉤部がこの一方のバーを中心にこの保持具に向かって回動することにより、横ガイドが他方のバーに嵌め込まれうる。このフォルダーは、ファイルの保持具に容易に掛け留めされうる。
【発明を実施するための最良の形態】
【００１６】
以下、適宜図面が参照されつつ、好ましい実施形態に基づいて本発明が詳細に説明される。
【００１７】
図１（ａ）は本発明の一実施形態に係るファイリング用フォルダー２が示された側面図であり、図１（ｂ）はこのフォルダー２の底面図である。このフォルダー２は、拘束部４と、鉤部６とを備えている。
【００１８】
鉤部６は、拘束部４の後方に位置している。この鉤部６は、この拘束部４に連接している。この鉤部６は、縦ガイド８と横ガイド１０と切り欠き１２とを備えている。
【００１９】
縦ガイド８は、この鉤部６の上側の縁１４から下方に延びている。換言すれば、この縦ガイド８は縦方向に延びている。この縦ガイド８は、底縁１６と、この底縁１６から上方に向かって延びる一対の側縁１８とを備えている。このフォルダー２では、この側縁１８は直線状に延びている。この底縁１６の輪郭は、円弧である。
【００２０】
横ガイド１０は、この鉤部６の後側の縁１４から前方に延びている。換言すれば、この横ガイド１０はこの鉤部６の他の縁１４から前方に延びている。この横ガイド１０は、底縁２０と、この底縁２０から後方に延びる一対の側縁２２とを備えている。このフォルダー２では、この側縁２２は下方に凸な形状を呈している。換言すれば、この側縁２２は縦ガイド８の延在方向に凸である。この底縁２０の輪郭は、円弧である。
【００２１】
切り欠き１２は、縦ガイド８と横ガイド１０との間に位置している。この切り欠き１２は、鉤部６の後側の縁１４から拘束部４に向かって凹んだ形状を呈している。
【００２２】
拘束部４は、２枚のプレート２４と、弾性部材としての留め具２６とからなる。これらのプレート２４は、その上下方向に長い形状を呈している。これらのプレート２４の形状は、同一である。これらのプレート２４は、重なり合うように配置されている。これらのプレート２４の内面２８は、向き合っている。
【００２３】
留め具２６は、市販のスライドクリップである。この留め具２６は、鉤部６の切り欠き１２の付近において、２枚のプレート２４を挟み込むように配置される。この留め具２６は、一方のプレート２４ａの内面２８ａと他方のプレート２４ｂの内面２８ｂとを接触させる方向に力を付与する。この留め具２６としては、このスライドクリップ以外に、ゼムクリップ、パワークリップ、目玉クリップ及びダブルクリップが例示される。
【００２４】
図２は、図１のフォルダー２が使用されている状況が示された斜視図である。図３は、図２の一部拡大斜視図である。この図２及び図３には、フォルダー２と、書類３０と、ファイル３２とが示されている。図示されているように、このフォルダー２はファイル３２に収容されている。
【００２５】
ファイル３２は、背表紙３４と、この背表紙３４の一方の側縁３６に連接する表表紙３８と、この背表紙３４の他方の側縁４０に連接する裏表紙４２と、この背表紙３４の内側に配置される保持具４４とを備えている。この保持具４４は、２本のバー４６を備えている。これらのバー４６は、このファイル３２に綴じられる書類３０の厚み方向に延在しており、縦方向に並んで配列される。図示されていないが、このバー４６は、パイプと、このパイプに挿通されうるピンとで構成される。このファイル３２は、パイプ式ファイルである。このファイル３２は、書類３０を綴じるためのツールである。このファイル３２に綴じられる書類３０としては、文書、帳票、図面、パンフレット等が例示される。なお、図示されていないが、このファイル３２には、書類３０の抜き差し及び書類３０の保持を制御する開閉部材が設けられている。
【００２６】
図４は、フォルダー２がファイル３２の保持具４４に嵌め込まれている状況が示された概略側面図である。この図４には、フォルダー２と、書類３０と、ファイル３２の保持具４４に設けられているバー４６とが示されている。この図４において、矢印線Ａはフォルダー２の回動方向を表している。
【００２７】
このフォルダー２の使用方法は、次の通りである。まず、このフォルダー２から留め具２６が外される。これにより、２枚のプレート２４の間に隙間が形成される。次に、この隙間に書類３０が挿入される。これにより、書類３０のとじしろが２枚のプレート２４に挟まれる。次に、留め具２６が、このプレート２４に嵌め込まれる。これにより、書類３０が拘束部４に拘束される。次に、縦ガイド８が、上方のバー４６ａに嵌め込まれる。次に、この鉤部６がこの上方のバー４６ａを中心にこの保持具４４に向かって回動される。横ガイド１０は、この回動により下方のバー４６ｂに嵌め込まれうる。このようにして、この鉤部６はこの保持具４４に掛け留めされうる。このフォルダー２は、ファイル３２の開閉部材を用いることなく、ファイル３２に容易に掛け留めされうる。
【００２８】
保持具４４に掛け留めされたフォルダー２は、横ガイド１０が下方のバー４６ｂから抜かれた後この鉤部６が前方斜め下方に引かれることにより、この保持具４４から容易に取り外されうる。このフォルダー２の取り外しにおいても、ファイル３２の開閉部材を用いる必要はない。このフォルダー２は、ファイル３２への書類３０の収容及び取り外しを容易にする。
【００２９】
一つのファイル３２の保持具４４には、複数のフォルダー２が掛け留めされうる。このフォルダー２を用いて書類３０がファイル３２に収容されている場合において、利用者は必要な書類３０を拘束しているフォルダー２のみをこのファイル３２から取り出せばよい。このフォルダー２を用いることにより、利用者は必要な書類３０をファイル３２から容易に取り出せる。
【００３０】
このフォルダー２に書類３０が綴じられるとき、留め具２６は一方のプレート２４ａの内面２８ａと他方のプレート２４ｂの内面２８ｂとを接触させる方向に力を付与する。従って、書類３０はこの拘束部４から脱落しない。このフォルダー２では、書類３０を拘束するために書類３０に穴を開ける必要はない。この留め具２６がプレート２４から外されると書類３０が拘束状態から開放されるので、このフォルダー２からの書類３０の取り出しは容易である。
【００３１】
このフォルダー２を用いて書類３０がファイル３２に綴じられると、この書類３０の自重がこのフォルダー２に作用する。この書類３０の自重により、下方のバー４６ｂに嵌め込まれている横ガイド１０の底縁２０付近を中心として、このフォルダー２を前傾させるように力が作用する。前述したように、このフォルダー２では、縦ガイド８は縦方向に延在しているので、この上方のバー４６ａから外れることはない。このフォルダー２は、保持具４４に確実に掛け留めされうる。
【００３２】
図１に示されているように、このフォルダー２では、横ガイド１０の側縁２２は下方に凸な形状を呈している。この横ガイド１０を前方に引き抜くことは容易ではない。この横ガイド１０は、不意にこのバー４６ｂから外れることはない。このフォルダー２は、保持具４４に確実に掛け留めされうる。なお、この横ガイド１０の前方への引き抜きが抑えられるために、この横ガイド１０の、底縁１６と側縁２２との間に楔のような突起が設けられてもよい。
【００３３】
このフォルダー２は、一枚のシートが折り曲げられて所定の形状に切削加工された後にスライドクリップが嵌め込まれることにより得られる。このフォルダー２の生産は容易である。このフォルダー２を構成する部材は少ないので、このフォルダー２の生産コストは低い。このフォルダー２は、汎用性に優れる。
【００３４】
このフォルダー２では、拘束部４と鉤部６との間に、弾性部材としてのねじりコイルバネが設けられてもよい。図１（ｂ）に示されているように、このフォルダー２の鉤部６はシートの折返し４７が形成されてる。このようなフォルダー２では、このねじりコイルバネがこの折返し４７に設けられてもよい。
【００３５】
図５は、本発明の他の実施形態にかかるファイリング用フォルダー４８の側面図である。このフォルダー４８は、拘束部５０と鉤部５２とを備えている。
【００３６】
鉤部５２は、拘束部５０の後方に位置している。この鉤部５２は、この拘束部５０に連接している。この鉤部５２は、縦ガイド５４と横ガイド５６とを備えている。
【００３７】
縦ガイド５４は、この鉤部５２の上側の縁５８から下方に延びている。この縦ガイド５４は、底縁６０と、この底縁６０から上方に向かって延びる一対の側縁６２とを備えている。このフォルダー４８では、この側縁６２は、直線状に延びている。この底縁６０の輪郭は、円弧である。
【００３８】
横ガイド５６は、この鉤部５２の後側の縁５８から前方に延びている。この横ガイド５６は、底縁６４と、この底縁６４から後方に延びる一対の側縁６６とを備えている。このフォルダー４８では、この側縁６６は、下方に凸な形状を呈している。この底縁６４の輪郭は、円弧である。
【００３９】
拘束部５０は、その上下方向に長い形状を呈している。この拘束部５０は、矩形である。この拘束部５０は、２枚のプレート６８と、弾性部材としての一対の留め具７０とを備えている。これらのプレート６８の形状は、同一である。これらのプレート６８は、重なり合うように配置されている。従って、これらのプレート６８の内面は、向き合っている。このフォルダー４８では、この拘束部５０の中央付近に鉤部５２が設けられている。
【００４０】
このフォルダー４８では、一方の留め具７０ａは鉤部５２の上側に配置されている。他方の留め具７０ｂは、この鉤部５２の下側に配置されている。この留め具７０は、２枚のプレート６８を挟み込む。
【００４１】
図示されていないが、このフォルダー４８の拘束部５０において、書類はプレート６８に挟まれる。留め具７０は、このプレート６８を挟み込む。この留め具７０は、一方のプレート６８の内面と他方のプレート６８の内面とを接触させる方向に力を付与する。従って、書類はこの拘束部５０から脱落しない。このフォルダー４８では、書類を拘束するために書類に穴が開けられる必要はない。この留め具７０がプレート６８から外されると書類が拘束状態から開放されるので、書類がこのフォルダー４８から取り外されうる。
【００４２】
このフォルダー４８が図１のフォルダー２が掛け留めされたファイル３２と同一のファイルに掛け留めされるとき、このフォルダー４８の縦ガイド５４が上方のバーに嵌め込まれる。次に、この鉤部５２がこの上方のバーを中心にファイルの保持具に向かって回動される。横ガイド５６は、この回動により下方のバーに嵌め込まれうる。このフォルダー４８は、ファイルの開閉部材を用いることなく、この保持具に容易に掛け留めされうる。
【００４３】
保持具に掛け留めされたフォルダー４８は、横ガイド５６が下方のバーから抜かれた後この鉤部５２が前方斜め下方に引かれることにより、この保持具から容易に取り外されうる。このフォルダー４８の取り外しにおいても、ファイルの開閉部材を用いる必要はない。このフォルダー４８は、ファイルへの書類の収容及び取り外しを容易にする。
【００４４】
一つのファイルの保持具には、複数のフォルダー４８が掛け留めされうる。このフォルダー４８を用いて書類がファイルに収容されている場合において、利用者は必要な書類を拘束しているフォルダー４８のみをこのファイルから取り出せばよい。このフォルダー４８を用いることにより、利用者は必要な書類をファイルから容易に取り出せる。
【００４５】
このフォルダー４８を用いて書類がファイルに綴じられると、この書類の自重がこのフォルダー４８に作用する。この書類の自重により、下方のバーに嵌め込まれている横ガイド５６の底縁６０の付近を中心として、このフォルダー４８を前傾させるように力が作用する。前述したように、このフォルダー４８では、縦ガイド５４は縦方向に延在しているので、この上方のバー４６から縦ガイド５４が外れることはない。このフォルダー４８は、保持具に安定に掛け留めされうる。
【００４６】
図５に示されているように、このフォルダー４８では、横ガイド５６の側縁６６は下方に凸な形状を呈している。この横ガイド５６を前方に引き抜くことは容易ではない。この横ガイド５６は、不意にこのバーから外れることはない。このフォルダー４８は、保持具に安定に掛け留めされうる。
【産業上の利用可能性】
【００４７】
本発明に係るファイリング用フォルダーは、種々のファイルに適用されうる。
【図面の簡単な説明】
【００４８】
【図１】図１（ａ）は本発明の一実施形態に係るファイリング用フォルダーが示された側面図であり、図１（ｂ）はこのフォルダーの底面図である。
【図２】図２は、図１のフォルダーが使用されている状況が示された斜視図である。
【図３】図３は、図２の一部拡大斜視図である。
【図４】図４は、フォルダーがファイルの保持具に嵌め込まれている状況が示された概略側面図である。
【図５】図５は、本発明の他の実施形態にかかるファイリング用フォルダーの側面図である。
【符号の説明】
【００４９】
２、４８・・・フォルダー
４、５０・・・拘束部
６、５２・・・鉤部
８、５４・・・縦ガイド
１０、５６・・・横ガイド
１２・・・切り欠き
１４、５８・・・縁
１６、２０、６０、６４・・・底縁
１８、２２、６２、６６・・・側縁
２４、２４ａ、２４ｂ、６８・・・プレート
２６、７０、７０ａ、７０ｂ・・・留め具
２８、２８ａ、２８ｂ・・・内面
３０・・・書類
３２・・・ファイル
３４・・・背表紙
３６、４０・・・側縁
３８・・・表表紙
４２・・・裏表紙
４４・・・保持具
４６、４６ａ、４６ｂ・・・バー
４７・・・折返し
【図１】
2008105365.tif 000003
【図２】
2008105365.tif 000004
【図３】
2008105365.tif 000005
【図４】
2008105365.tif 000006
【図５】
2008105365.tif 000007